(57)【要約】モバイル・ステーションおよびワイヤレス通信ネットワーク間のサービスエリア外状態に基づいて、モバイル・ステーションへのデータ通信を終了するフロー制御プロセスに関連するワイヤレス・ネットワーク・オペレーションの制御方法および装置。ワイヤレス通信ネットワークにおいて、モバイル・ステーションがデータサービスに常時接続を利用しているかどうかを示す表示が識別される。モバイル・ステーションが常時接続を利用していることを示す表示に基づいて、フロー制御プロセスが回避される。そうでなければ、フロー制御プロセスが実施される。常時接続は、モバイル・ステーションの電子メール・アプリケーションに利用でき、ポイント−ツー−ポイント・プロトコル（ＰＰＰ）セッションを含む。
2007525866.tif 000002
【特許請求の範囲】
【請求項１】
モバイル・ステーションおよびワイヤレス通信ネットワーク間のサービスエリア外状態に基づいて前記モバイル・ステーションへのデータ通信を終了するフロー制御プロセスに関連するワイヤレス・ネットワーク処理の制御方法であって、該方法は、
モバイル・ステーションが前記ワイヤレス通信ネットワークを通じて提供されるデータサービスに常時接続を利用するかどうかを示す表示を識別するアクトと、
前記モバイル・ステーションが前記常時接続を利用することを示す表示に基づいて前記モバイル・ステーションへの前記フロー制御プロセスを回避させるアクトと、
そうでなければ、前記モバイル・ステーションへの前記フロー制御プロセスを実施させるアクトと
を包含する、ワイヤレス・ネットワーク処理の制御方法。
【請求項２】
前記常時接続は、ポイント−ツー−ポイント・プロトコル（ＰＰＰ）セッションを含む、請求項１に記載の方法。
【請求項３】
前記常時接続を、電子メール通信サービスを含むデータサービスに使用する、請求項１に記載の方法。
【請求項４】
前記識別するアクトが、前記モバイル・ステーションまたは前記データサービスに関連するデータに基づいて、前記表示を受け取ることをさらに包含する、請求項１に記載の方法。
【請求項５】
前記識別するアクトが、前記ワイヤレス通信ネットワークを通じて前記モバイル・ステーションから前記表示を受け取ることをさらに包含する、請求項１に記載の方法。
【請求項６】
前記識別するアクトが、前記モバイル・ステーションのユーザ・インターフェースにおける入力シグナルに応答して前記ワイヤレス通信ネットワークを通じて前記モバイル・ステーションから前記表示を受け取ることをさらに包含する、請求項１に記載の方法。
【請求項７】
前記表示を識別するアクトが、前記データサービスに関連するデータに基づいて前記常時接続を識別することをさらに包含する、請求項１に記載の方法。
【請求項８】
前記表示を識別するアクトが、前記データサービスの比較的低いデータ速度を識別することをさらに包含する、請求項１に記載の方法。
【請求項９】
前記表示を識別するアクトが、前記データサービスと関連する所定のサービスの質（ＱｏＳ）を識別することをさらに包含する、請求項１に記載の方法。
【請求項１０】
前記データサービスが、前記モバイル・ステーションによって併用される複数のデータサービスのうちの１つである、請求項１に記載の方法。
【請求項１１】
無線アクセス・ネットワーク（ＲＡＮ）のパケット制御機能（ＰＣＦ）と通信するパケット・データサービスノード（ＰＤＳＮ）であって、モバイル・ステーションおよびワイヤレス通信ネットワーク間のサービスエリア外状態に基づいて前記モバイル・ステーションへのデータ通信を終了するフロー制御プロセスに関連するワイヤレス・ネットワーク処理を制御するように構成され、該ＰＤＳＮは、
モバイル・ステーションが前記ワイヤレス通信ネットワークを通じて提供されるデータサービスに常時接続を利用するかどうかを示す表示を識別し、
前記モバイル・ステーションが前記常時接続を利用していることを示す表示に基づいて前記モバイル・ステーションへの前記フロー制御プロセスを回避させ、
そうでなければ、前記モバイル・ステーションへの前記フロー制御プロセスを実施させるように作動する、パケット・データサービスノード（ＰＤＳＮ）。
【請求項１２】
前記常時接続は、ポイント−ツー−ポイント・プロトコル（ＰＰＰ）セッションを含む、請求項１１に記載のＰＤＳＮ。
【請求項１３】
前記フロー制御プロセスを実施させるかまたは回避させる前に、前記ＰＣＦからの前記フロー制御プロセス要求を受け取とるようにさらに構成された、請求項１１に記載のＰＤＳＮ。
【請求項１４】
前記モバイル・ステーションまたは前記データサービスに関連するデータに基づいて前記表示を識別することによって前記表示を識別するようにさらに構成された、請求項１１に記載のＰＤＳＮ。
【請求項１５】
前記ワイヤレス通信ネットワークを通じて前記モバイル・ステーションから表示を受け取ることによって、前記表示を識別するようにさらに構成された、請求項１１に記載のＰＤＳＮ。
【請求項１６】
前記モバイル・ステーションのユーザ・インターフェースでの入力シグナルに応答して、前記ワイヤレス通信ネットワークを通じて前記モバイル・ステーションから表示を受け取ることによって前記表示を識別するようにさらに構成された、請求項１１に記載のＰＤＳＮ。
【請求項１７】
前記データサービスに関連するデータに基づいて前記常時接続を識別することによって、前記表示を識別するようにさらに構成された、請求項１１に記載のＰＤＳＮ。
【請求項１８】
前記データサービスの比較的低いデータ速度を識別することによって、前記表示を識別するようにさらに構成された、請求項１１に記載のＰＤＳＮ。
【請求項１９】
前記データサービスに関連する所定のサービスの質（ＱｏＳ）を識別することによって、前記表示を識別するようにさらに構成された、請求項１１に記載のＰＤＳＮ。
【請求項２０】
前記データサービスが、前記モバイル・ステーションによって併用される複数のデータサービスのうちの１つである、請求項１１に記載のＰＤＳＮ。
【請求項２１】
モバイル・ステーションおよびワイヤレス通信ネットワーク間のサービスエリア外状態に基づいてモバイル・ステーションへのデータ通信を終了するフロー制御プロセスに関連するワイヤレス・ネットワーク処理を制御するように構成される、ワイヤレス通信ネットワークの無線アクセス・ネットワーク（ＲＡＮ）であって、該ＲＡＮは、
パケット・データサービスノード（ＰＤＳＮ）と通信するパケット制御機能（ＰＣＦ）を備え、
前記ＰＣＦは、モバイル・ステーションが前記ワイヤレス通信ネットワークを通じて提供されるデータサービスに常時接続を利用しているか否かを示す表示を識別するように動作し、
前記ＰＣＦは、前記モバイル・ステーションが前記常時接続を利用していることを示す前記表示に基づいて前記モバイル・ステーションに対する前記フロー制御プロセスを回避させるように動作し、
前記ＰＣＦは、そうでなければ、ＰＤＳＮに関連して前記モバイル・ステーションに対する前記フロー制御プロセスを実施させるように動作する、無線アクセス・ネットワーク（ＲＡＮ）。
【発明の詳細な説明】
【技術分野】
【０００１】
（関連出願のクロスレファレンス）
本出願は、２００４年２月９日出願の米国仮特許出願（出願番号：６０／５４３，１１３）「フロー制御プロセスに関連するワイヤレス・ネットワーク・オペレーションの制御方法および装置」の利益を主張し、これはここに援用される。
（技術分野）
本発明は、概してワイヤレス・ネットワーク・オペレーションに関し、特に「常時接続」モバイル・ステーションの「フロー制御」プロセスに関連するワイヤレス・ネットワーク・オペレーションの制御方法および装置に関する。
【背景技術】
【０００２】
携帯電話またはモバイル・ステーションなどのワイヤレス通信装置は、ワイヤレス通信ネットワークを通じて音声電話を発受信および／またはデータを送受信することができる。これらのモバイル・ステーションの中には、ネットワークにおいて継続的に維持されるポイント−ツー−ポイント・プロトコル（ＰＰＰ）セッション接続に依存する電子メール通信、あるいは他の「プッシュ」タイプ・アプリケーションなどのデータ・アプリケーションを主に利用するため「常時接続」装置とみなされるものがある。
【０００３】
ワイヤレス通信ネットワークは、第３世代パートナーシップ・プロジェクト２（３ＧＰＰ２）に従って運用できる。３ＧＰＰ２システムに関しては、ＴＩＡ‐８３５‐Ｃ／ＩＯＳｖ４．３以前に、パケット・データサービスノード（ＰＤＳＮ）および無線アクセス・ネットワーク（ＲＡＮ）に問題があり、常時接続モバイル・ステーションへのデータ送信力に影響を及ぼした。ＰＤＳＮからデータを配信するようＲＡＮがモバイル・ステーションに連絡する場合、モバイル・ステーションが一時的にサービスエリア外になると、ＰＤＳＮおよび前記モバイル・ステーション間のＰＰＰ接続が崩壊し、モバイル・ステーションはそれを認識しない。これによって、ＰＰＰ接続が再構築されるまで、モバイル・ステーションへのデータ配信が順に停止する。この場合、常時接続モバイル・ステーションが安定して処理を行うには、携帯電話のバッテリー寿命および無線インターフェース容量の両方を消耗する一時的なサービスエリア外状態になる度に、余分なメッセージングを行う必要がある。
【０００４】
ＴＩＡ‐８３５‐Ｃ／ＩＯＳｖ４．３では、これらの問題が解決された。常時接続モバイル・ステーションに対するこれらの処理機能停止を解消するため、基準に変更が加えられた。３ＧＰＰ２において、「フロー制御」プロセスは、ワイヤレス・リンクの状態に基づいて、ＰＤＳＮがモバイル・ステーションへのデータ・フローを停止するよう要求する能力をパケット制御機能（ＰＣＦ）に付与すると提唱されている。前記機能の理論的根拠は、ＰＤＳＮに無線インターフェースを越えるメッセージングを行わずに、モバイル・ステーションとの圧縮状態を再度同期化させることによって、無線インターフェース容量を節約することである。
【０００５】
電子メール通信および他のプッシュ・タイプ・アプリケーションを提供する常時接続モバイル・ステーションには、ＰＰＰペイロード圧縮を使用することなくアプリケーション層で圧縮を行うものもある。このようなモバイル・ステーションの場合、フロー制御プロセスによって得られる利益はほとんどない。さらに、これらのモバイル・ステーションでフロー制御プロセスを使用すると、ＴＩＡ‐８３５‐Ｃ／ＩＯＳｖ４．３以前に存在したのと同じ問題が生じる。ＰＤＳＮからＰＣＦへのデータ・フローが遮断されると、モバイル・ステーションに対する処理機能の停止、あるいは無線インターフェース・メッセージングを増加してフロー制御の影響に対抗する必要性が生じる。
【０００６】
従って、従来技術の欠陥を克服するようなフロー制御プロセスに関連するワイヤレス・ネットワーク・オペレーションの制御方法および装置が必要となる。
【発明の開示】
【課題を解決するための手段】
【０００７】
モバイル・ステーションおよびワイヤレス通信ネットワーク間のサービスエリア外（ｏｕｔ−ｏｆ−ｃｏｖｅｒａｇｅ）状態に基づいて、モバイル・ステーションへのデータ通信を終了するフロー制御プロセスに関連するワイヤレス・ネットワーク・オペレーションの制御方法および装置について記述する。ワイヤレス通信ネットワークにおいて、モバイル・ステーションがデータサービスに常時接続を利用しているかどうかを示す表示（ｉｎｄｉｃａｔｉｏｎ）が識別される。モバイル・ステーションが常時接続を利用していることを示す表示に基づいて、フロー制御プロセスが回避される。そうでなければ、フロー制御プロセスが実施される。常時接続は、モバイル・ステーション用の電子メール通信アプリケーションに利用することができ、ポイント−ツー−ポイント・プロトコル（ＰＰＰ）セッションを必要とする。
【発明を実施するための最良の形態】
【０００８】
ここで、本発明の実施形態を添付の図を参照して例示する。
【０００９】
モバイル・ステーションおよびワイヤレス通信ネットワーク間のサービスエリア外状態に基づいて、モバイル・ステーションへのデータ通信を終了するフロー制御プロセスに関連するワイヤレス・ネットワーク・オペレーションの制御方法および装置について記述する。ワイヤレス通信ネットワークにおいて、モバイル・ステーションがデータサービスに常時接続を利用しているかどうかを示す表示が識別される。前記モバイル・ステーションが常時接続を利用していることを示す表示に基づいて、フロー制御プロセスが回避される。そうでなければ、フロー制御プロセスが実施される。常時接続は、モバイル・ステーション用の電子メール通信アプリケーションに利用することができ、ポイント−ツー−ポイント・プロトコル（ＰＰＰ）セッションを必要とする。
【００１０】
背景技術において前述したように、３ＧＰＰ２において「フロー制御」プロセスは、ワイヤレス・リンクの状態に基づいて、パケット・データ・サポート・ノード（ＰＤＳＮ）がモバイル・ステーションへのデータ・フローを停止するよう要求する能力をパケット制御機能（ＰＣＦ）に付与すると提唱されている。前記機能の理論的根拠は、ＰＤＳＮに無線インターフェースを越えるメッセージングを行わずにモバイル・ステーションとの圧縮状態を再度同期化させることによって、無線インターフェース容量を節約することである。しかしながら、常時接続モバイル・ステーション（電子メール通信および他のプッシュ・タイプ・アプリケーションを提供するものなど）には、ＰＰＰペイロード圧縮を使用することなくアプリケーション層で圧縮を行うものもある。そのようなモバイル・ステーションの場合、フロー制御プロセスによって得られる利益はほとんどない。さらに、これらのモバイル・ステーションでフロー制御プロセスを使用すると、ＴＩＡ‐８３５‐Ｃ／ＩＯＳｖ４．３以前に存在したのと同じ問題が生じる。ＰＤＳＮからＰＣＦへのデータ・フローが遮断されると、モバイル・ステーションに対する処理機能の停止、あるいは無線インターフェース・メッセージングを増加してフロー制御の影響に対抗する必要性が生じる。
【００１１】
「常時接続」モバイル・ステーションに対するフロー制御の潜在的な負の影響を軽減する技術をここに記載する。この技術は、（１）常時接続でないモバイル・ステーションのみに対してフロー制御するアプリケーション（すなわち、モバイル・ステーションが常時接続である場合、ＰＤＳＮはデータ・フローを停止しない）、（２）ＰＰＰペイロード圧縮がＰＤＳＮ／ＭＳによって使用されているか否かに基づいてフロー制御するアプリケーション（すなわち、ＰＰＰペイロード圧縮が使用されていない場合、ＰＤＳＮはデータ・フローを停止しない）、（３）フロー制御がＰＤＳＮによって使用されているか否かに係らず制御する能力をモバイル・ステーションに付与すること（例えば、複数の同時処理の場合等、特定の処理例において、モバイル・ステーションからＰＤＳＮに送信された３ＧＰＰ２ベンダー特定パケットのビットを使用する）、モバイル・ステーションがビットの設定によって許可しない限り、ＰＤＳＮはデータ・フローを停止しない、（４）送信されるデータの量および／または頻度に応じて、ＰＤＳＮにデータ・フローを遮断させる（例えば、アプリケーションが大量のデータを送信しようとしている場合、ＰＤＳＮにフロー制御を適用し、少量で頻度の少ない電子メールパケット送信には適用しない）ことを含む。詳細については、図１〜５に照らして以下に記載する。
【００１２】
図１は、ワイヤレス通信ネットワーク１０４を介して通信するモバイル・ステーション１０２を含む通信システム１００のブロック図である。モバイル・ステーション１０２は、好ましくは画像ディスプレイ１１２、キーボード１１４、および場合によって１つまたは複数の補助ユーザ・インターフェース（ＵＩ）１１６を備え、それぞれコントローラ１０６に結合している。コントローラ１０６は、無線周波数（ＲＦ）トランシーバ回路１０８およびアンテナ１１０にも結合される。
【００１３】
一般的に、コントローラ１０６はメモリ部品（図示せず）においてＯＳソフトウェアを実行する中央演算処理装置（ＣＰＵ）として具現化される。通常、コントローラ１０６はモバイル・ステーション１０２のオペレーション全体を制御するのに対して、通信機能に関連するシグナル処理オペレーションは、一般にＲＦトランシーバ回路１０８で行われる。コントローラ１０６は装置ディスプレイ１１２と連動して、受信情報、保存情報、ユーザ入力などを表示する。電話型キーパッドまたは全英数字キーボードなどのキーボード１１４は、通常モバイル・ステーション１０２に保存されるデータ、ネットワーク１０４に転送する情報、電話をかけるための電話番号、モバイル・ステーション１０２上で実行されるコマンド、およびその他または異なるユーザ情報を入力するために提供される。
【００１４】
モバイル・ステーション１０２は、アンテナ１１０を介してワイヤレス・リンク上のネットワーク１０４と通信シグナルの送受信を行う。ＲＦトランシーバ回路１０８は、変調／復調、場合によってはコード／デコードおよび暗号化／解読を含む無線ネットワーク（ＲＮ）１２８と同様の機能を実施する。また、ＲＦトランシーバ回路１０８が、ＲＮ１２８によって実施される機能に加えて、特定の機能を遂行することも考えられる。ＲＦトランシーバ回路１０８が特定のワイヤレス・ネットワークまたはそこでモバイル・ステーション１０２が作動することが意図されるネットワークに適合することは、当業者には明らかであろう。
【００１５】
モバイル・ステーション１０２は、１つまたは複数の充電式バッテリー１２４用のバッテリー・インターフェース１２２を備えている。バッテリー１２４は、モバイル・ステーション１０２内の電気回路に電力を提供し、バッテリー・インターフェース１２２は、バッテリー１２４に対して機械的および電気的接続を提供する。バッテリー・インターフェース１２２は、前記装置への電力を調整するレギュレータ１２６と結合する。モバイル・ステーション１０２が完全に作動している場合、ＲＦトランシーバ回路１０８のＲＦトランスミッタは、一般的にネットワークに送信している時にのみオンになり、それ以外は節電のためオフになる。同様に、ＲＦトランシーバ回路１０８のＲＦレシーバーは、通常、指定の期間中にシグナルまたは情報（もしあれば）を受信する必要がなければ、節電のため定期的にオフになる。
【００１６】
モバイル・ステーション１０２は、インターフェース１１８でモバイル・ステーション１０２に接続または挿入される加入者識別モジュール（ＳＩＭ）またはリムーバブル加入者情報モジュール（Ｒ‐ＵＩＭ）などのメモリ・モジュール１２０を使用して作動する。ＳＩＭまたはＲ‐ＵＩＭの代替として、モバイル・ステーション１０２は、サービス・プロバイダによってメモリ・モジュール１２０にプログラム化された不揮発性メモリであるコンフィギュレーション・データに基づいて作動する。モバイル・ステーション１０２は、データ通信装置、携帯電話、データおよび音声通信機能を備えた多機能通信装置、ワイヤレス通信が可能な携帯情報端末（ＰＤＡ）、または内蔵モデムを組み込んだコンピュータなどの単一ユニットで構成してもよい。代替として、モバイル・ステーション１０２は、コンピュータまたはワイヤレス・モデムに接続される他の装置を含むがそれらに限定されない複数の個別の構成要素から成る複数モジュール・ユニットであってもよい。特に、例えば図１のモバイル・ステーションのブロック図において、ＲＦトランシーバ回路１０８およびアンテナ１１０は、ラップトップ・コンピュータのポートに挿入される無線モデム・ユニットとして実装してもよい。この場合、ラップトップ・コンピュータはディスプレイ１１２、キーボード１１４、１つまたは複数の補助ＵＩ１１６、およびコンピュータのＣＰＵとして具現化されるコントローラ１０６を備える。ワイヤレス通信が通常不可能なコンピュータまたは他の装置を適合して接続しても、上述のような単一ユニット装置のＲＦトランシーバ回路１０８およびアンテナ１１０を効果的に制御すると考えられる。そのようなモバイル・ステーション１０２は、図２のモバイル・ステーション２０２に照らして後述するように、さらに具体的な実装を持つ。
【００１７】
モバイル・ステーション１０２は、ワイヤレス通信ネットワーク１０４内およびそのネットワークを介して通信する。図１の実施形態において、ワイヤレス・ネットワーク１０４は、符号分割多重接続（ＣＤＭＡ）技術に基づく第２世代（２Ｇ）または第３世代（３Ｇ）サポート・ネットワークである。特に、ワイヤレス・ネットワーク１０４は、図１に示す結合された固定ネットワーク構成要素を含むＣＤＭＡ２０００（登録商標）ネットワークである。ＣＤＭＡ２０００型のワイヤレス・ネットワーク１０４は、無線アクセス・ネットワーク（ＲＡＮ）１２８、移動通信交換局（ＭＳＣ）１３０、信号システム７（ＳＳ７）ネットワーク１４０、ホーム・ローケーション・レジスタ／認証センター（ＨＬＲ／ＡＣ）１３８、パケット・データサービスノード（ＰＤＳＮ）１３２、ＩＰネットワーク１３４、および遠隔認証ダイヤルイン・ユーザ・サービス（ＲＡＤＩＵＳ）サーバ１３６を含む。ＳＳ７ネットワーク１４０は、モバイル・ステーション１０２を他の通話相手に接続するネットワーク１４２（例えば、公衆交換電話網あるいはＰＳＴＮ）と連通する。一方、ＩＰネットワーク１３４はインターネットなどの別のネットワーク１４４に連通する。ＣＤＭＡ２０００が電気通信工業会（ＴＩＡ‐ＵＳＡ）の登録商標であることに留意すること。
【００１８】
作動中、モバイル・ステーション１０２は、呼設定、呼処理、および移動管理機能を行うＲＡＮ１２８と通信する。ＲＡＮ１２８は、ベース・ステーション・コントローラ（ＢＳＣ）１２９およびＢＴＳ１３１といったベース・ステーション・トランシーバ・システム（ＢＴＳ）を複数備えている。特定のサービスエリアに対してワイヤレス・ネットワーク域を提供するＢＴＳ１３１はすべて、一般に「セル」と呼ばれる。ＲＮ１２８の指定ＢＴＳ１３１は、そのセル内のモバイル・ステーションと通信シグナルを送受信する。一般にＢＴＳ１３１は、通常は所定の特定の通信プロトコルおよびパラメータに従って、モバイル・ステーションに伝達されるシグナルの変調、場合によってはコード化および／または暗号化といった機能をそのコントローラの制御下で実施する。同様にＢＴＳ１３１は、そのセル内のモバイル・ステーション１０２から受信した通信シグナルを復調し、必要な場合はデコードおよび解読する。通信プロトコルおよびパラメータは、個別のネットワーク間で異なる。例えば、あるネットワークは、異なる変調スキームを用いて他のネットワークとは異なる頻度で作動する。その特定のプロトコル改定に基づいて、基礎的な処理も異なる。
【００１９】
ＢＳＣ１２９は、ＢＴＳ１３１をすべて制御し、無線ネットワーク・リソースを管理してユーザ可動性を提供する。ＢＳＣ１２９は、音声圧縮または音声コード化を行い、引継ぎを処理し、電力制御を管理してネットワーク容量の効率的な使用を保証し、タイミングおよびＲＮＡ１２８内の同期化を制御して、ＢＴＳ１３１およびＰＤＳＮ１３２にインターフェースを提供する。ＢＳＣ１２９は、１つまたは複数のサーバとして具現化されるパケット制御機能（ＰＣＦ）１３３を含み、通信する。ＰＣＦ１３３は、Ｒ‐ＰまたはＡ１０／Ａ１１インターフェースとしても知られるＲＡＮ‐ｔｏ‐ＰＤＳＮインターフェースを介してＰＤＳＮ１３２にインターフェースを提供する。Ａ１０インターフェースはユーザ・データを運び、Ａ１１はシグナル・データを運ぶ。ＰＣＦ１３３は、モバイル・ステーションのパケット・データ状態（例えば、活動および休止状態）を管理し、モバイル・ステーションおよびＰＤＳＮ１３２間でパケットを中継し、休止状態のモバイル・ステーション用ＰＤＳＮ１３２から受信したデータをバッファし、引継ぎを容易にするよう作動する。
【００２０】
図１の通信システム１００に示すワイヤレス・リンクは、１つまたは複数の異なるチャンネル、通常異なる無線周波数（ＲＦ）チャンネル、およびワイヤレス・ネットワーク１０４およびモバイル・ステーション１０２間で使用される関連プロトコルを示す。一般に全体の帯域幅およびモバイル・ステーション１０２のバッテリー電源には制限があるため、ＲＦチャンネルは節約しなければならない限りある資源である。当業者であれば、ネットワーク・サービスエリア全体の望ましい拡大によって、現実のワイヤレス・ネットワークに数百のセルを含んでもよいことを理解するであろう。複数のネットワーク・コントローラで制御される複数のスイッチおよびルータ（表示せず）によってすべての関連構成要素を接続してもよい。
【００２１】
ネットワーク・オペレータに登録されるすべてのモバイル・ステーション１０２の場合、永久的なデータ（モバイル・ステーション１０２ユーザのプロファイルなど）だけでなく、一時的なデータ（モバイル・ステーション１０２の現行位置など）がＨＬＲ／ＡＣ１３８に保存される。モバイル・ステーション１０２への音声電話の場合、ＨＬＲ／ＡＣ１３８を照会してモバイル・ステーション１０２の現行位置を判別する。ＭＳＣ１３０のビジター・ロケーション・レジスタ（ＶＬＲ）は、一群のロケーション・エリアを担当し、現在その担当領域に存在するモバイル・ステーションのデータを保存する。これは、より高速なアクセスのためＨＬＲ／ＡＣ１３８からＶＬＲに転送される永久的なモバイル・ステーション・データの一部を含む。しかし、ＭＳＣ１３０のＶＬＲは、一時的な識別などのローカル・データも割り当て、保管する。またモバイル・ステーション１０２は、ＨＬＲ／ＡＣ１３８によってシステム・アクセス上で認証される。
【００２２】
ＣＤＭＡ２０００ベースのネットワークにあるモバイル・ステーション１０２にパケット・データサービスを提供するために、ＲＡＮ１２８はＰＤＳＮ１３２と通信する。ＰＤＳＮ１３２は、ＩＰネットワーク１３４を通じてインターネット１４４（またはイントラネット、ワイヤレス・アプリケーション・プロトコル（ＷＡＰ）サーバなど）に対してアクセスを提供する。ＰＤＳＮ１３２は、仮想プライベート・ネットワーク用パケット輸送だけでなく、モバイルＩＰネットワークにおいて外部エージェント（ＦＡ）の機能性も提供する。ＰＤＳＮ１３２は一連のＩＰアドレスを持ち、ＩＰアドレス管理、セッション管理、および任意でキャッシングを実施する。ＲＡＤＩＵＳサーバ１３６は、パケット・データサービスの認証、承認、および課金（ＡＡＡ）に関連する機能の実施を担当し、ＡＡＡサーバと呼ばれてもよい。
【００２３】
モバイル・ステーション１０２が、電子メール通信アプリケーションである初期アプリケーションを持ち、ワイヤレス・ネットワーク１０４に対して「常時」接続を利用してこの処理を容易にすることに留意する。このため、モバイル・ステーション１０２およびワイヤレス・ネットワーク１０４間のパケット・データ接続は、電子メール・アプリケーションのために継続的に維持される。この理由から、モバイル・ステーション１０２は「常時接続」装置とも呼ばれる。前記処理は、サーバ１５０といった、ネットワークへのサーバ接続によって促進される。モバイル・ステーション１０２上の他のアプリケーションは常時接続を必要としない場合があることに留意する。ＰＰＰセッションを設定するために、モバイル・ステーション１０２はパケット・データ・コールを開始する。一旦モバイル・ステーション１０２およびＲＡＮ１２８間に無線リンクが確立されると、Ｒ‐ＰインターフェースがＲＡＮ１２８／ＰＣＦ１３３およびＰＤＳＮ１３２の間に設定される。次に、モバイル・ステーション１０２とＰＤＳＮ１３２の間でＰＰＰネゴシエーションが始まる。モバイル・ステーション１０２がＰＤＳＮ１３２へのＰＰＰ接続を形成すると、ワイヤレス・ネットワーク１０４に接続されたままになる。それに続くモバイル・ステーション１０２およびＰＤＳＮ１３２間のすべてのデータ転送は、ＰＰＰ接続上のモバイル・ステーション１０２あるいはＰＤＳＮ１３２によって開始できる。モバイル・ステーション１０２がデータの送信も受信も行わず、一定期間不活動状態であった場合、ＰＣＦ１３３はモバイル・ステーション１０２とＲＡＮ１２８の間の無線リンクを切断するが、モバイル・ステーション１０２およびＰＤＳＮ１３２間のＰＰＰ接続は維持することに留意する。これは休止状態と呼ばれる。
【００２４】
３ＧＰＰ２において、「フロー制御」プロセスは、ワイヤレス・リンクの状態（特定のサービスエリア外状態）によってＰＤＳＮ１３２がモバイル・ステーション１０２へのデータ・フローを停止するよう要求する能力をＰＣＦ１３３に付与すると提唱されている。前記機能の理論的根拠は、ＰＤＳＮ１３２に無線インターフェースを越えるメッセージングを行わずにモバイル・ステーション１０２との圧縮状態を再度同期化させることによって、無線インターフェース容量を節約することである。電子メール通信（例えば、モバイル・ステーション１０２）を提供する常時接続モバイル・ステーションには、ＰＰＰペイロード圧縮を使用することなくアプリケーション層で圧縮を行うものもある。そのようなモバイル・ステーションの場合、フロー制御プロセスによって得られる利益はほとんどない。さらに、これらのモバイル・ステーション１０２でフロー制御プロセスを使用すると、ＴＩＡ‐８３５‐Ｃ／ＩＯＳｖ４．３以前に存在したのと同じ問題が生じる。ＰＤＳＮ１３２からＰＣＦ１３３へのデータ・フローが遮断されると、モバイル・ステーション１０２に対する処理機能の停止、あるいは無線インターフェース・メッセージングを増加してフロー制御の影響に対抗する必要性が生じる。無線リンク・プロトコル（ＲＬＰ）が無線チャンネルの障害も処理することに留意する。一方、フロー制御プロセスは、他のタイプのモバイル・ステーションと接続して使用する場合に有益となる。
【００２５】
図１には明示していないが、場合によっては他のネットワークを含む他のシステムとワイヤレス・ネットワーク１０４を接続してもよいことも理解できる。実際に交換するパケット・データがない場合でも、通常、ネットワークは少なくとも数種類のページングおよびシステム情報を継続的に転送する。ネットワークは多くの部品で構成されるが、これらの部品はすべて協働して、ワイヤレス・リンクにおける特定の動作を行う。
【００２６】
図２は、好ましいモバイル・ステーション２０２の詳細なブロック図である。モバイル・ステーション２０２は、他のコンピュータ・システムとの通信機能を含み、好ましくは少なくとも音声および高度データ通信機能を備えた双方向通信装置である。モバイル・ステーション２０２によって提供される機能性によって、それはデータ・メッセージング装置、双方向ページャー、データ・メッセージング機能付き携帯電話、ワイヤレス・インターネット家電、またはデータ通信装置（電話機能付きまたは電話機能なし）を意味する。モバイル・ステーション２０２は、その地理的サービスエリア内にある複数のベース・ステーション・トランシーバ・システム２００のいずれか１つと通信する。詳細は図３および４に照らして後述するが、モバイル・ステーション２０２は通信するベース・ステーション・トランシーバ・システム２００を選択するか、または選択を補助する。
【００２７】
モバイル・ステーション２０２は通常、レシーバ２１２、トランスミッタ２１４、および１つまたは複数の（好ましくは組み込み式あるいは内蔵型）アンテナ要素２１６および２１８などの関連構成要素、局部発振器（ＬＯ）２１３、およびデジタル・シグナル・プロセッサ（ＤＳＰ）２２０などの処理モジュールを含む通信サブシステム２１１を組み込む。通信サブシステム２１１は、図１に示すＲＦトランシーバ回路１０８およびアンテナ１１０に類似している。通信分野の当業者には明らかなように、特定デザインの通信サブシステム２１１は、そこでモバイル・ステーション２０２が作動することが意図される通信ネットワークに依存する。
【００２８】
モバイル・ステーション２０２は、必要なネットワーク登録または起動プロシージャが完了するとネットワーク上で通信シグナルを送受信する。ネットワークを通じてアンテナ２１６により受信されたシグナルは、シグナル増幅、周波数ダウン・コンバージョン、フィルタリング、チャンネル選択、および図２に例示するアナログ・デジタル（Ａ／Ｄ）変換など通常のレシーバ機能を実行するレシーバ２１２に入力される。受信したシグナルをＡ／Ｄ変換することによって、ＤＳＰで実施される復調およびデコードといった、より複雑な通信機能が可能になる。同様に、転送されるシグナルについては、例えばＤＳＰ２２０によって変調およびコード化を含む処理が行われる。これらのＤＳＰ処理シグナルは、デジタル・アナログ（Ｄ／Ａ）変換、周波数アップ・コンバージョン、フィルタリング、増幅およびアンテナ２１８を介して通信ネットワーク上への転送のために、トランスミッタ２１４に入力される。ＤＳＰ２２０は通信シグナルを処理するだけでなく、レシーバおよびトランスミッタ制御も提供する。例えば、レシーバ２１２およびトランスミッタ２１４において通信シグナルに適用される利得は、ＤＳＰ２２０において実施される自動利得制御アルゴリズムを通じて適宜制御される。
【００２９】
ネットワーク・アクセスは、モバイル・ステーション２０２の加入者またはユーザと関連しているため、ネットワークで作動するためには、モバイル・ステーション２０２に加入者識別モジュールまたは「ＳＩＭ」カード、あるいはリムーバブル・ユーザ識別モジュール（Ｒ‐ＵＩＭ）などのメモリ・モジュール２６２を挿入するか、またはモバイル・ステーション２０２のインターフェース２６４と接続する必要がある。代替として、メモリ・モジュール２６２は、モバイル・ステーション２０２がネットワーク内で作動するように、サービス・プロバイダがコンフィギュレーション・データを用いてプログラム化する不揮発性メモリであってもよい。モバイル・ステーション２０２はバッテリー電源供給される移動装置であるため、１つまたは複数の充電式バッテリー２５６を受け取るバッテリー・インターフェース２５４も含む。そのようなバッテリー２５６は、モバイル・ステーション２０２にあるすべてとは言えないにせよ大部分の電気回路に電力を提供し、バッテリー・インターフェース２５４は機械的および電気的接続を提供する。バッテリー・インターフェース２５４は、電力（電圧Ｖで示される）をすべての回路に提供するレギュレータ（図２に表示せず）に結合される。
【００３０】
モバイル・ステーション２０２は、モバイル・ステーション２０２のオペレーション全体を制御するマイクロプロセッサ２３８（図１のコントローラ１０６の一実施形態）を含む。少なくともデータ通信および音声通信を含む通信機能は、通信サブシステム２１１を通じて実施される。またマイクロプロセッサ２３８は、ディスプレイ２２２、フラッシュ・メモリ２２４、ランダム・アクセス・メモリ（ＲＡＭ）２２６、補助入出力（Ｉ／Ｏ）サブシステム２２８、シリアル・ポート２３０、キーボード２３２、スピーカー２３４、マイク２３６、短距離通信サブシステム２４０、および一般に２４２で指定される任意の他の装置サブシステムといった追加の装置サブシステムと相互作用する。図２に示されるサブシステムには、通信関連機能を実施するものもあり、そのため、他のサブシステムは「常駐」またはオン・デバイス機能を提供してよい。特に、キーボード２３２およびディスプレイ２２２などのいくつかのサブシステムは、通信ネットワーク上の転送用テキスト・メッセージ入力などの通信関連機能と、計算機またはタスク・リストなどのデバイス常駐機能の両方に使用してもよい。マイクロプロセッサ２３８によって使用されるオペレーティング・システム・ソフトウェアは、好ましくはフラッシュ・メモリ２２４といった永続的記憶装置に保管される。代替として読取専用メモリ（ＲＯＭ）あるいは類似するストレージ・エレメント（図示せず）でもよい。当業者であれば、オペレーティング・システム、特定の装置アプリケーション、またはその部品がＲＡＭ２２６などの揮発性記憶装置に一時的に負荷されることを理解するであろう。
【００３１】
マイクロプロセッサ２３８は、そのＯＳ機能に加えて、好ましくはモバイル・ステーション２０２上のソフトウェア・アプリケーションを実行できる。少なくともデータおよび音声通信アプリケーション（ネットワーク再構築スキームなど）を含む基本的な装置オペレーションを制御する所定のアプリケーションは、通常、製造の過程でモバイル・ステーション２０２上にインストールされる。モバイル・ステーション２０２上にロードされる好ましいアプリケーションは、例えば、電子メール、カレンダー・イベント、ボイス・メール、予約、およびタスク項目などを含むがそれらに限定されないユーザに関連するデータ項目を組織化および管理する能力を備えたスケジュール管理（ＰＩＭ）アプリケーションであってもよい。一般に、１つまたは複数のメモリ・記憶装置をモバイル・ステーション２０２およびＳＩＭ２５６で使用して、ＰＩＭデータ項目および他の情報の格納を容易にする。
【００３２】
ＰＩＭアプリケーションは、好ましくはワイヤレス・ネットワークを介してデータ項目を送受信する機能を備える。好ましい実施形態において、ＰＩＭデータ項目は、ホスト・コンピュータ・システムに格納されるデータ項目および／または関連するモバイル・ステーション・ユーザの対応データ項目を用いて、ワイヤレス・ネットワークを介して途切れなく統合、同期化、更新され、それによってそのような項目を参照してモバイル・ステーション２０２上にミラード・ホスト・コンピュータが生成される。これは特に、ホスト・コンピュータ・システムがモバイル・ステーション・ユーザのオフィス・コンピュータ・システムである場合に有効である。追加アプリケーションは、ネットワーク、補助Ｉ／Ｏサブシステム２２８、シリアル・ポート２３０、短距離通信サブシステム２４０、あるいは任意の他の適したサブシステム２４２を介してモバイル・ステーション２０２上にロードしてもよく、またＲＡＭ２２６または好ましくはマイクロプロセッサ２３８が実施する不揮発性記憶装置（図示せず）においてユーザがインストールしてもよい。アプリケーション・インストールにおけるそのような柔軟性によって、モバイル・ステーション２０２の機能性が増し、拡張されたオン・デバイス機能、通信関連機能、あるいはその両方を提供できる。例えば、安全な通信アプリケーションは、電子商取引機能およびモバイル・ステーション２０２を使用して実施される他の金融取引を可能にする。
【００３３】
データ通信モードにおいて、テキスト・メッセージ、電子メール・メッセージ、あるいはウェブ・ページのダウンロードといった受信シグナルは、通信サブシステム２１１によって処理され、マイクロプロセッサ２３８に入力される。好ましくは、マイクロプロセッサ２３８は、ディスプレイ２２２または代替として補助Ｉ／Ｏ装置２２８に出力するため前記シグナルをさらに処理する。モバイル・ステーション２０２のユーザは、例えばディスプレイ２２２および場合によっては補助Ｉ／Ｏ装置２２８と併せてキーボード２３２を使用して、電子メール・メッセージなどのデータ項目を構成してもよい。キーボード２３２は、好ましくは完全な英数字キーボードおよび／または電話型キーパッドである。これらの構成アイテムは、通信サブシステム２１１を介して通信ネットワーク上で転送される。
【００３４】
音声通信の場合、モバイル・ステーション２０２の全体オペレーションは、受信シグナルがスピーカー２３４に出力され、転送用シグナルがマイク２３６によって生成されることを除けば、実質的に類似している。音声メッセージ録音サブシステムなどの代替音声またはオーディオＩ／Ｏサブシステムは、モバイル・ステーション２０２上で実装してもよい。音声またはオーディオ・シグナル出力は、好ましくは主にスピーカー２３４を通じて実施されるが、幾つかの例に示すように、ディスプレイ２２２を使用して通話者の識別、音声通話時間、または他の音声電話関連情報を表示してもよい。
【００３５】
図２のシリアル・ポート２３０は通常、たとえオプションであっても、ユーザのデスクトップ・コンピュータが望ましいコンポーネントである携帯情報端末（ＰＤＡ）型の通信装置において実装される。シリアル・ポート２３０によって、ユーザは外部装置またはソフトウェア・アプリケーションを通じて優先項目を設定し、ワイヤレス通信ネットワークを介することなくモバイル・ステーション２０２に情報やソフトウェアのダウンロードを提供することによって、モバイル・ステーション２０２の能力を拡大することができる。安全なデバイス通信を提供するために、例えば、代替のダウンロード・パスを使用して、直接的で信頼できる確かな接続を通じてモバイル・ステーション２０２上に暗号キーをロードしてもよい。
【００３６】
図２の短距離通信サブシステム２４０は、類似した装置である必要のないモバイル・ステーション２０２および異なるシステムまたはデバイス間の通信を提供する追加のオプション要素である。例えばサブシステム２４０は、同様に機能するシステムおよび装置で通信を提供するために、赤外線装置および関連する回路や構成要素、あるいはＢｌｕｅｔｏｏｔｈＴＭ信モジュールを含んでよい。ＢｌｕｅｔｏｏｔｈＴＭは、ＢｌｕｅｔｏｏｔｈＴＭＳＩＧの登録商標である。
【００３７】
図３は、モバイル・ステーションおよびワイヤレス通信ネットワーク間のサービスエリア外状態に基づいて、モバイル・ステーションへのデータ通信を終了するフロー制御プロセスに関連するワイヤレス・ネットワーク処理の制御方法を説明するフローチャートである。前記方法は、上述のような付属システム構成要素と関連して（例えば、パケット制御機能（ＰＣＦ）において）、１つまたは複数のサーバおよびコンピュータ・インストラクションを使用して、無線アクセス・ネットワーク（ＲＡＮ）によって実施してもよい。前記方法は、１つまたは複数のサーバまたはプロセッサによって実施できるコンピュータ・インストラクションを格納するコンピュータ格納媒体（例えば、メモリあるいはコンピュータ・ディスク）を含むコンピュータ・プログラム製品において具現化される。
【００３８】
前記方法は、図３の開始ブロック３００で開始する。ＲＡＮにおいて、モバイル・ステーションがデータサービスに常時接続を利用しているかどうかを示す表示が識別される（図３のステップ３０２）。モバイル・ステーションが常時接続を利用していることを前記表示が示す場合（図３のステップ３０４）、モバイル・ステーションに対するフロー制御プロセスは回避される（図３のステップ３０６）。そうでなければ、モバイル・ステーションに対するフロー制御プロセスはステップ３０４から実施されることになる（図３のステップ３０８）。前記フローチャートは、終了ブロック３１０で終了する。常時接続がモバイル・ステーションによって使用される場合、フロー制御プロセスは電子メール・アプリケーション用になり、ポイント−ツー−ポイント・プロトコル（ＰＰＰ）セッションを必要とする。
【００３９】
ステップ３０２において、モバイル・ステーションが常時接続装置であることが表示される場合がある。代わりに、ステップ３０２において、前記アプリケーション、データ・セッション、および／またはモバイル・ステーションのデータ接続が、常時接続アプリケーション、データ・セッション、および／またはデータ接続であると識別されることが表示される場合がある。複数の処理を同時に行う場合、モバイル・ステーションおよびＰＤＳＮ間で相互に合意したように、指定したサービス・インスタンスにフロー制御を選択的に適用してもよい。ここで、前記セッションが最初に確立された場合、また必要に応じて後で利用される場合に、前記表示が受信される。前記表示がデータ形式である場合、前記データはビット・フラグ（「１」＝常時接続）のように単純か、あるいはより大きなデータとなる。
【００４０】
モバイル・ステーションが常時接続を利用しているかどうかを示す表示は、様々に異なる名前を持つことに留意する。例えば、前記表示は「常時接続装置インジケータ」または「常時接続インジケータ」と呼ばれる。別の例では、「制御フロー可能／不可能」と示される場合もある。後者の例においても、「制御フロー可能／不可能」表示とモバイル・ステーション／データ接続間の関係は存在する（例えば、その名前に関わらず、モバイル・ステーションが常時データ接続を使用するかどうかが表示される）。
【００４１】
前記表示は、モバイル・ステーションからワイヤレス通信ネットワークに送信されるデータ形式で受信される。モバイル・ステーションは、そのメモリにこの属性を保存する（モバイル・ステーション＝常時接続装置）、あるいは代替として、前記モバイル・ステーションのそれぞれに適した常時接続アプリケーション（アプリケーションＡ＝常時接続アプリケーション、アプリケーションＢ＝非常時接続アプリケーション）に関連して属性を保存してもよい。例に示すように、サービス・パーソンまたはエンド・ユーザによって、属性情報をモバイル・ステーションのメモリにプログラム化、および／または再プログラム化することができる。この表示は、モバイル・ステーションからのメッセージで一度送信され、前記ネットワークに適切に保存される。代替として、前記装置または前記アプリケーションを使用する度に、モバイル・ステーションからのメッセージで表示が送信される。ネットワークは、次にこの情報を（例えば、ＲＡＮあるいは詳しくはＰＣＦに）保存し、必要に応じて本出願の目的で使用する。モバイル・ステーションのユーザ・インターフェースにおける入力シグナルに応答してモバイル・ステーションから表示が送信されることに留意する。よってエンド・ユーザは、制御フロー・プロセスを利用すべきか否かを制御する。前記属性は、モバイル・ステーションからネットワークに送信される３ＧＰＰ２ベンダー固有のパケット形式である。
【００４２】
代替として、前記表示は常時接続に利用される任意の所定プロセスの検出に基づく。例えば、所定のプロセスは圧縮プロセスでもあり、利用してもしなくてもよい。例えば、本出願の好ましい常時接続モバイル・ステーションは、電子メール通信用のＰＰＰレベルで圧縮を利用しないが、他のモバイル・ステーションはＰＰＰ圧縮を利用する。このため、前記接続がＰＰＰ圧縮を利用しないことをＲＡＮまたはＰＣＦが検出すると、フロー制御が回避される。逆に、前記接続がＰＰＰ圧縮を利用することをＲＡＮまたはＰＣＦが検出すると、フロー制御が実施される。
【００４３】
別の代替案として、前記表示はデータサービスを使用して通信されるデータの量および／または頻度に基づく。例えば、ＲＡＮまたはＰＣＦは前記接続におけるデータ通信の速度が比較的遅いか比較的速いかを識別する。このため、前記接続が比較的少量のパケット・データを電子メール通信用の低頻度の間隔で送信することをＲＡＮまたはＰＣＦが検出すると、フロー制御は回避される。逆に、前記接続が比較的大量のパケット・データを頻繁に送信することをＲＡＮまたはＰＣＦが検出すると、フロー制御が実施される。特定の代替案として、前記表示はデータサービスのサービスの質（ＱｏＳ）データの検討に基づく。（１）ストリーミング（例えば、ビデオ）、（２）双方向（例えば、ウェブ・ブランジング）、（３）バックグラウンド、および（４）対話型（例えば、音声）を含むデータ通信の多くの異なるタイプのＱｏＳトラフィック・クラスが定義される。電子メール・データ通信は「バックグラウンド」トラフィック・クラスに分類され、ネットワークにおいてそのように識別される。従って、ＲＡＮまたはＰＣＦはＱｏＳデータを読み取り、データサービスがバックグラウンド・トラフィック・クラス型であるかどうかを識別し、そうであればＰＰＰ接続が常時接続であると推察する。
【００４４】
図４は、ワイヤレス・ネットワークと関連したモバイル・ステーション処理のシステム・フロー図である。図４の例において、ＰＣＦ１３３は本技術に従ってフロー制御プロセスで制御を行う構成要素である。アプリケーション用データ接続は、モバイル・ステーションおよびサーバ間で確立される（図４のプロセス４０２）。この例において、モバイル・ステーションは常時接続装置ではなく、前記データ接続は常時接続を含まない。モバイル・ステーションおよびネットワークによって検出されるＲＡＮ１２８のＢＴＳ間でサービスエリア外状態が発生する（図４のプロセス４０４）。そのため、ＲＡＮ１２８またはＰＣＦ１３３は、フロー制御プロセスを実施すべきか否かをチェックする（図４のプロセス４０５）。この場合、ＲＡＮ１２８またはＰＣＦ１３３は、モバイル・ステーションおよび／またはそのデータ接続が常時接続でないことを識別する。モバイル・ステーションおよび／またはそのデータ接続が常時接続でないため、ＲＡＮ１２８またはＰＣＦ１３３はフロー制御プロセスを実行させ、ＰＤＳＮ１３２に同様の要求を送信する（図４のプロセス４０６）。この要求はＡ１１メッセージに入れることができる。データ・フローは終了し（図４のプロセス４０８）、ＰＰＰセッションは終了する場合もしない場合もある。
【００４５】
図４に関する第二の議論は、常時接続装置であるモバイル・ステーションおよび／または常時接続を持つモバイル・ステーションに関する。アプリケーションのデータ接続は、モバイル・ステーションおよびサーバ間で維持される（図４のプロセス４１０）。データ接続は、モバイル・ステーション１０２およびＰＤＳＮ１３２間のＰＰＰ接続を必要とする常時接続を含む。次に、モバイル・ステーションおよびネットワークによって検出されるＲＡＮ１２８のＢＴＳ間にサービスエリア外状態が生じる（図４のプロセス４１２）。そのため、ＲＡＮ１２８またはＰＣＦ１３３は、フロー制御プロセスを実施すべきか否かをチェックする（図４のプロセス４１４）。この場合、ＲＡＮ１２８またはＰＣＦ１３３はモバイル・ステーションおよび／またはそのデータ接続が常時接続であることを識別する。セッションが最初に確立されると、ＰＤＳＮ１３２は、フロー制御を好ましくはセッションごとに利用すべきか否かについてＰＣＦ１３３にシグナルする。メッセージングはＡ１１メッセージを利用する。モバイル・ステーションおよび／またはそのデータ接続は常時接続であるため、ＲＡＮ１２８またはＰＣＦ１３３はフロー制御プロセスを回避させる。ここでデータ・フローは終了せず、ＰＰＰセッションは維持される（図４のプロセス４１６）。ＲＡＮ１２８またはＰＣＦ１３３からＰＤＳＮ１３２への要求は必要ない。
【００４６】
図５は、ワイヤレス・ネットワークに関連するモバイル・ステーション処理のためのもう一つのシステム・フロー図である。図５の例において、ＰＤＳＮ１３２は本技術に従ってフロー制御プロセスで制御を実行する構成要素である。アプリケーション用データ接続はモバイル・ステーションおよびサーバ間に確立される（図５のプロセス５０２）。この例において、モバイル・ステーションは常時接続装置ではなく、データ接続は常時接続を含まない。モバイル・ステーションおよびネットワークによって検出されるＲＡＮ１２８のＢＴＳ間にサービスエリア外状態が生じる（図５のプロセス５０４）。そのため、ＲＡＮ１２８または特にＰＣＦ１３３は、フロー制御プロセスを開始し、ＰＤＳＮ１３２に対してフロー制御プロセス要求を送信する（図５のプロセス５０６）。この場合、ＰＤＳＮ１３２はモバイル・ステーションおよび／またはそのデータ接続が常時接続でないことを識別する（図５のプロセス５０７）。モバイル・ステーションおよび／またはそのデータ接続は「常時接続」でないため、ＰＤＳＮ１３２はフロー制御プロセスを実施させてデータ・フローを終了する（図５のプロセス５０８）、またＰＰＰセッションは終了する場合もしない場合もある。
【００４７】
図５に関する第二の議論は、常時接続装置であるモバイル・ステーションおよび／または常時接続を持つモバイル・ステーションに関する。アプリケーションのデータ接続は、モバイル・ステーションおよびサーバ間で維持される（図５のプロセス５１０）。データ接続は、モバイル・ステーション１０２およびＰＤＳＮ１３２間のＰＰＰ接続を必要とする常時接続を含む。次に、モバイル・ステーションおよびネットワークによって検出されるＲＡＮ１２８のＢＴＳ間にサービスエリア外状態が生じる（図５のプロセス５１２）。そのため、ＲＡＮ１２８または特にＰＣＦ１３３は、フロー制御プロセスを開始し、ＰＤＳＮ１３２に対してフロー制御プロセス要求を送信する（図５のプロセス５１４）。この場合、ＰＤＳＮ１３２はモバイル・ステーションおよび／またはそのデータ接続が常時接続であることを識別する（図５のプロセス５１５）。モバイル・ステーションおよび／またはそのデータ接続は常時接続であるため、ＰＤＳＮ１３２はフロー制御プロセスを回避させる。ここでデータ・フローは終了せず、ＰＰＰセッションは維持される（図５のプロセス５１６）。
【００４８】
モバイル・ステーションが常時接続を利用しているかどうかを示す表示は、様々に異なる名前を持つことに再度留意する。例えば、前記表示は「常時接続装置インジケータ」または「常時接続インジケータ」と呼ばれる。別の例では、「制御フロー可能／不可能」と示される場合もある。後者の例においても、「制御フロー可能／不可能」表示とモバイル・ステーション／データ接続間の関係は存在する（すなわち、その名前に関わらず、モバイル・ステーションが常時データ接続を使用するかどうかが表示される）。
【００４９】
単一モバイル・ステーションに対して複数のデータ接続が確立されることにも留意する。例えば、モバイル・ステーションは、第一アプリケーションに対して常時接続を含む第一接続を持ち、第二アプリケーションに対して常時接続を含まない第二接続を持つ。ネットワークにおいて、フロー制御プロセスは第一接続に対して回避されるが、第二接続に対して利用される。このため、任意の指定されたモバイル・ステーションに対して有効な同時処理が複数ある場合、特定の処理に対して選択的に相互合意されたフロー制御が行われる。
【００５０】
最後に、モバイル・ステーションおよびワイヤレス通信ネットワーク間のサービスエリア外状態に基づいてモバイル・ステーションへのデータ通信を終了するフロー制御プロセスに関連するワイヤレス・ネットワーク処理の制御方法および装置について述べる。ワイヤレス通信ネットワークにおいて、モバイル・ステーションがデータサービスに常時接続を使用するかどうかを示す表示が識別される。モバイル・ステーションが常時接続を利用することを示す表示に基づいて、フロー制御プロセスは回避される。そうでなければ、フロー制御プロセスが実施される。常時接続は、モバイル・ステーション用の電子メール通信アプリケーションに利用でき、ポイント−ツー−ポイント・プロトコル（ＰＰＰ）セッションを必要とする。
【００５１】
一実施形態において、モバイル・ステーションおよびワイヤレス通信ネットワーク間のサービスエリア外状態に基づいてモバイル・ステーションに対してデータ通信を終了するフロー制御プロセスに関連するワイヤレス・ネットワーク処理を制御するように構成されるワイヤレス通信ネットワークの無線アクセス・ネットワーク（ＲＡＮ）が利用される。ＲＡＮはパケット・データサービスノード（ＰＤＳＮ）と連通するパケット制御機能（ＰＣＦ）を含む。ＰＣＦが作動して、ワイヤレス通信ネットワークを通じて提供されるデータサービスに対してモバイル・ステーションが常時接続を利用するか、モバイル・ステーションが常時接続を利用することを示す表示に基づいて前記モバイル・ステーションに対してフロー制御プロセスを回避させるか、またそうでなければ、ＰＤＳＮと関連してモバイル・ステーションに対してフロー制御プロセスを実施させるかどうかを示す表示を識別する。
【００５２】
別の実施形態において、無線アクセス・ネットワーク（ＲＡＮ）のパケット制御機能（ＰＣＦ）と連通するパケット・データサービスノード（ＰＤＳＮ）が利用される。ＰＤＳＮは、モバイル・ステーションおよびワイヤレス通信ネットワーク間のサービスエリア外状態に基づいて、モバイル・ステーションへのデータ通信を終了するフロー制御プロセスに関連するワイヤレス・ネットワーク処理を制御するために構成される。ＰＤＳＮが作動して、ワイヤレス通信ネットワークを通じて提供されるデータサービスに対してモバイル・ステーションが常時接続を利用するか、モバイル・ステーションが常時接続を利用することを示す表示に基づいて前記モバイル・ステーションに対してフロー制御プロセスを回避させるか、またそうでなければ、ＰＤＳＮと関連してモバイル・ステーションに対してフロー制御プロセスを実施させるかどうかを示す表示を識別する。
【００５３】
本出願の上記実施形態は、あくまで例にすぎない。当業者であれば、本出願の範囲を逸脱することなく、特定の実施形態に対して変更、修正、およびバリエーションをもたらすことができる。列挙された請求項において本書に記載の発明は、そのような技術的変更すべてを網羅し包含することを意図する。
【産業上の利用可能性】
【００５４】
本発明は、モバイル・ステーションおよびワイヤレス通信ネットワーク間のサービスエリア外状態に基づいてモバイル・ステーションへのデータ通信を終了するフロー制御プロセスに関連するワイヤレス・ネットワーク処理の制御方法および装置を提供する。
【図面の簡単な説明】
【００５５】
【図１】図１は、ワイヤレス通信ネットワークの関連構成要素およびこのネットワーク内で通信するモバイル・ステーションを示すブロック図である。
【図２】図２は、ワイヤレス通信ネットワーク内で通信するモバイル・ステーションの詳細図である。
【図３】図３は、モバイル・ステーションおよびワイヤレス通信ネットワーク間のサービスエリア外状態に基づいて、モバイル・ステーションへのデータ通信を終了するフロー制御プロセスに関連するワイヤレス・ネットワーク・オペレーションの制御方法を説明するフローチャートである。
【図４】図４は、常時接続を持たないモバイル・ステーション、および常時接続を持つモバイル・ステーションのシステム・フロー図である。
【図５】図５は、常時接続を持たないモバイル・ステーション、および常時接続を持つモバイル・ステーションの別のシステム・フロー図である。
【図１】
2007525866.tif 000003
【図２】
2007525866.tif 000004
【図３】
2007525866.tif 000005
【図４】
2007525866.tif 000006
【図５】
2007525866.tif 000007
【国際調査報告】
2007525866.tif 000008
2007525866.tif 000009